(57)【要約】【課題】  １つの素子で複数の静電容量成分を並列接続する回路を実現することが可能な貫通型積層コンデンサを提供すること。【解決手段】貫通型積層コンデンサＣ１のコンデンサ素体Ｌ１には、接地用内部電極２０、４０と信号用内部電極３０、５０とが配置されている。接地用内部電極２０、４０は、第１及び第２の接地用主電極部２１、４１、２３、４３と、信号用内部電極３０、５０と対向する領域を有さない接地用連結電極部２５、４５と、第１及び第２の接地用引き出し電極部２２、４２とを有する。信号用内部電極３０、５０は、第１及び第２の信号用主電極部３１、５１と、接地用内部電極２０、４０と対向する領域を有さない信号用連結電極部３５、５５と、第１及び第２の信号用引き出し電極部３２、５２とを有する。【選択図】図２
2008251628.tif 000002
【特許請求の範囲】
【請求項１】
誘電特性を有するコンデンサ素体と、
前記コンデンサ素体内に配置された接地用内部電極及び信号用内部電極と、
前記コンデンサ素体の外表面に配置された第１及び第２の接地用端子電極と、
前記コンデンサ素体の前記外表面に配置された第１及び第２の信号用端子電極と、を備え、
前記接地用内部電極は、第１の接地用主電極部と、第２の接地用主電極部と、前記第１の接地用主電極部から前記コンデンサ素体の前記外表面に引き出されるように伸びて前記第１の接地用端子電極に接続される第１の接地用引き出し電極部と、前記第２の接地用主電極部から前記コンデンサ素体の前記外表面に引き出されるように伸びて前記第２の接地用端子電極に接続される第２の接地用引き出し電極部と、前記第１の接地用主電極部と前記第２の接地用主電極部との間に位置する接地用連結電極部とを有し、
前記信号用内部電極は、第１の信号用主電極部と、第２の信号用主電極部と、前記第１の信号用主電極部から前記コンデンサ素体の前記外表面に引き出されるように伸びて前記第１の信号用端子電極に接続された第１の信号用引き出し電極部と、前記第２の信号用主電極部から前記コンデンサ素体の前記外表面に引き出されるように伸びて前記第２の信号用端子電極に接続された第２の信号用引き出し電極部と、前記第１の信号用主電極部と前記第２の信号用主電極部との間に位置する信号用連結電極部とを有し、
前記第１の接地用主電極部及び前記第１の信号用主電極部が、前記コンデンサ素体の一部を間に挟んで対向し、
前記第２の接地用主電極部及び前記第２の信号用主電極部が、前記コンデンサ素体の一部を間に挟んで対向し、
前記接地用連結電極部は、前記信号用内部電極と対向する領域を有さず、
前記信号用連結電極部は、前記接地用内部電極と対向する領域を有さないことを特徴とする貫通型積層コンデンサ。
【請求項２】
前記コンデンサ素体は、相対向する長方形状の第１の及び第２の主面と、前記第１及び第２の主面間を連結するように前記第１及び第２の主面の短辺方向に伸びている第１及び第２の端面と、前記第１及び第２の主面間を連結するように前記第１及び第２の主面の長辺方向に伸びている第１及び第２の側面とを有し、
前記信号用内部電極と前記接地用内部電極とが、前記第１及び第２の主面の対向方向に対向し、
前記接地用連結電極部と前記信号用連結電極部とが、前記コンデンサ素体の前記第１及び第２の側面の対向方向で離れていることを特徴とする請求項１記載の貫通型積層コンデンサ。
【請求項３】
前記第１及び第２の接地用端子電極は、前記コンデンサ素体の前記第１の側面に配置されており、
前記第３及び第４の接地用端子電極は、前記コンデンサ素体の前記第２の側面に配置されており、
前記接地用連結電極部は、前記第１の接地用主電極部の前記第２の側面側の端部と前記第２の接地用主電極部の前記第２の側面側の端部とを連結し、
前記信号用連結電極部は、前記第１の信号用主電極部の前記第１の側面側の端部と前記第２の信号用主電極部の前記第１の側面側の端部とを連結することを特徴とする請求項２記載の貫通型積層コンデンサ。
【請求項４】
前記接地用内部電極において、前記第１の接地用主電極部の面積と前記第２の接地用主電極部の面積とが異なり、
前記信号用内部電極において、前記第１の信号用主電極部の面積と前記第２の信号用主電極部の面積とが異なることを特徴とする請求項１〜３の何れか一項記載の貫通型積層コンデンサ。
【発明の詳細な説明】
【技術分野】
【０００１】
本発明は、貫通型積層コンデンサに関する。
【背景技術】
【０００２】
この種の貫通型積層コンデンサとして、誘電体層と信号用内部電極及び接地用内部電極とが交互に積層されたコンデンサ素体と、当該コンデンサ素体に形成された信号用端子電極及び接地用端子電極とを備えたものが知られている（例えば、特許文献１参照）。
【特許文献１】特開平０１−２０６６１５号公報
【発明の開示】
【発明が解決しようとする課題】
【０００３】
本発明は、１つの素子で複数の静電容量成分を並列接続する回路を実現することが可能な貫通型積層コンデンサを提供することを課題とする。
【課題を解決するための手段】
【０００４】
通常、電子機器には複数の貫通型積層コンデンサが搭載されている。そのため、搭載するコンデンサの数だけ電子機器内において実装スペースが消費されてしまう。そこで、本願発明者は、１つの素子で複数の並列回路を実現することができる貫通型積層コンデンサについて鋭意研究をした結果、本願発明に想到するに至った。
【０００５】
かかる研究結果を踏まえ、本発明に係る貫通型積層コンデンサは、誘電特性を有するコンデンサ素体と、コンデンサ素体内に配置された接地用内部電極及び信号用内部電極と、コンデンサ素体の外表面に配置された第１及び第２の接地用端子電極と、コンデンサ素体の外表面に配置された第１及び第２の信号用端子電極と、を備え、接地用内部電極は、第１の接地用主電極部と、第２の接地用主電極部と、第１の接地用主電極部からコンデンサ素体の外表面に引き出されるように伸びて第１の接地用端子電極に接続された第１の接地用引き出し電極部と、第２の接地用主電極部からコンデンサ素体の外表面に引き出されるように伸びて第２の接地用端子電極に接続された第２の接地用引き出し電極部と、第１の接地用主電極部と第２の接地用主電極部との間に位置する接地用連結電極部とを有し、信号用内部電極は、第１の信号用主電極部と、第２の信号用主電極部と、第１の信号用主電極部からコンデンサ素体の外表面に引き出されるように伸びて第１の信号用端子電極に接続される第１の信号用引き出し電極部と、第２の信号用主電極部からコンデンサ素体の外表面に引き出されるように伸びて第２の信号用端子電極に接続される第２の信号用引き出し電極部と、第１の信号用主電極部と第２の信号用主電極部との間に位置する信号用連結電極部とを有し、第１の接地用主電極部及び第１の信号用主電極部が、コンデンサ素体の一部を間に挟んで対向し、第２の接地用主電極部及び第２の信号用主電極部が、コンデンサ素体の一部を間に挟んで対向し、接地用連結電極部は、信号用内部電極と対向する領域を有さず、前信号用連結電極部は、接地用内部電極と対向する領域を有さないことを特徴とする。
【０００６】
上記貫通型積層コンデンサでは、接地用内部電極及び信号用内部電極がそれぞれ、互いに対向する複数の主電極部を有している。一方、接地用内部電極及び信号用内部電極の何れもが、互いに対向しない連結電極部を有している。そのため、上記貫通型積層コンデンサには、第１の接地用主電極部及び第１の信号用主電極部によって形成される静電容量と、第２の接地用主電極部及び第２の信号用主電極部によって形成される静電容量とが並列接続される回路が実現される。
【０００７】
コンデンサ素体は、相対向する長方形状の第１の及び第２の主面と、第１及び第２の主面間を連結するように第１及び第２の主面の短辺方向に伸びている第１及び第２の端面と、第１及び第２の主面間を連結するように第１及び第２の主面の長辺方向に伸びている第１及び第２の側面とを有し、信号用内部電極と接地用内部電極とが、第１及び第２の主面の対向方向に対向し、接地用連結電極部と信号用連結電極部とが、コンデンサ素体の第１及び第２の側面の対向方向で離れていてもよい。
【０００８】
接地用連結電極部と信号用連結電極部とが離れて形成されるため、貫通型積層コンデンサに形成される複数の静電容量成分が好適に分離して形成される。
【０００９】
この場合、第１及び第２の接地用端子電極は、コンデンサ素体の第１の側面に配置されており、第３及び第４の接地用端子電極は、コンデンサ素体の第２の側面に配置されており、接地用連結電極部は、第１の接地用主電極部の第２の側面側の端部と第２の接地用主電極部の第２の側面側の端部とを連結し、信号用連結電極部は、第１の信号用主電極部の第１の側面側の端部と第２の信号用主電極部の第１の側面側の端部とを連結することが好ましい。
【００１０】
接地用連結電極部と信号用連結電極部とがより一層離れて形成されるため好ましい。
【００１１】
接地用内部電極において、第１の接地用主電極部の面積と第２の接地用主電極部の面積とが異なり、信号用内部電極において、第１の信号用主電極部の面積と第２の信号用主電極部の面積とが異なることが好ましい。
【００１２】
この場合、貫通型積層コンデンサには大きさの異なる静電容量成分が複数形成される。そのため、貫通型積層コンデンサは広帯域の周波数領域において低インピーダンスを示すことができる。
【発明の効果】
【００１３】
本発明によれば、１つの素子で複数の静電容量成分を並列接続する回路を実現することが可能な貫通型積層コンデンサを提供することができる。
【発明を実施するための最良の形態】
【００１４】
以下、添付図面を参照して、好適な実施形態について詳細に説明する。なお、説明において、同一要素又は同一機能を有する要素には、同一符号を用いることとし、重複する説明は省略する。
【００１５】
図１〜図４を参照して、第１実施形態に係る貫通型積層コンデンサＣ１の構成について説明する。図１は、実施形態に係る貫通型積層コンデンサの斜視図である。図２は、実施形態に係る貫通型積層コンデンサに含まれるコンデンサ素体の分解斜視図である。図３は、第１実施形態に係る貫通型積層コンデンサの等価回路図である。
【００１６】
第１実施形態に係る貫通型積層コンデンサＣ１は、図１に示されるように、コンデンサ素体Ｌ１と、コンデンサ素体Ｌ１の外表面に配置された第１及び第２の接地用端子電極２、４と、コンデンサ素体Ｌ１の外表面に配置された第１及び第２の信号用端子電極３、５とを備える。第１及び第２の接地用端子電極２、４、及び第１及び第２の信号用端子電極３、５は、例えば導電性金属粉末及びガラスフリットを含む導電性ペーストをコンデンサ素体の外表面の付与し、焼き付けることによって形成される。必要に応じて、焼き付けられた端子電極の上にめっき層が形成されることもある。これらの第１及び第２の接地用端子電極２、４、及び第１及び第２の信号用端子電極３、５は、コンデンサ素体Ｌ１の表面上においては互いに電気的に絶縁されて形成されている。
【００１７】
コンデンサ素体Ｌ１は、図１に示されるように、直方体状であり、互いに対向する長方形状の第１及び第２の主面Ｌ１ａ、Ｌ１ｂと、第１及び第２の主面Ｌ１ａ、Ｌ１ｂ間を連結するように第1及び第２の主面Ｌ１ａ、Ｌ１ｂの短辺方向に伸び且つ互いに対向する第１及び第２の端面Ｌ１ｃ、Ｌ１ｄと、第1及び第２の主面Ｌ１ａ、Ｌ１ｂを連結するように第1及び第２の主面Ｌ１ａ、Ｌ１ｂの長辺方向に伸び且つ互いに対向する第１及び第２の側面Ｌ１ｅ、Ｌ１ｆとを有する。
【００１８】
第１及び第２の接地用端子電極２、４は、コンデンサ素体Ｌ１の第１の側面Ｌ１ｅに配置されている。第１及び第２の接地用端子電極２、４は、第１の側面Ｌ１ｅ上において、この順で第１の端面Ｌ１ｃ側から第２の端面Ｌ１ｄ側に向かって配置されている。
【００１９】
第１及び第２の信号用端子電極３、５は、コンデンサ素体Ｌ１の第２の側面Ｌ１ｆに配置されている。第１及び第２の信号用端子電極３、５は、第２の側面Ｌ１ｆ上において、この順で第１の端面Ｌ１ｃ側から第２の端面Ｌ１ｄ側に向かって配置されている。
【００２０】
コンデンサ素体Ｌ１は、図２に示されるように、積層された複数（本実施形態では、５層）の誘電体層１０〜１４を有する。各誘電体層１０〜１４は、例えば誘電体セラミックを含むセラミックグリーンシートの焼結体から構成される。なお、実際の貫通型積層コンデンサＣ１では、誘電体層１０〜１４の間の境界が視認できない程度に一体化されている。
【００２１】
図２に示されているように、コンデンサ素体Ｌ１には、複数（本実施形態では、２層）の接地用内部電極２０、４０と、複数（本実施形態では、２層）の信号用内部電極３０、５０とが交互に配置されている。接地用内部電極２０、４０、及び信号用内部電極３０、５０は、例えば、導電性ペーストの焼結体から構成される。
【００２２】
接地用内部電極２０と信号用内部電極３０とは、コンデンサ素体Ｌ１の一部である１層の誘電体層１１を間に挟んで、第１及び第２の主面Ｌ１ａ、Ｌ１ｂの対向方向に沿って対向する。信号用内部電極３０と接地用内部電極４０とは、コンデンサ素体Ｌ１の一部である１層の誘電体層１２を間に挟んで、第１及び第２の主面Ｌ１ａ、Ｌ１ｂの対向方向に沿って対向する。接地用内部電極４０と信号用内部電極５０とは、コンデンサ素体Ｌ１の一部である１層の誘電体層１３を間に挟んで、第１及び第２の主面Ｌ１ａ、Ｌ１ｂの対向方向に沿って対向する。
【００２３】
接地用内部電極２０は、コンデンサ素体Ｌ１の第１及び第２の主面Ｌ１ａ、Ｌ１ｂの短辺方向を長辺方向とする矩形状の第１及び第２の接地用主電極部２１、２３と、第１及び第２の接地用主電極部２１、２３から第1の側面Ｌ１ｅに向けて伸びる第１及び第２の接地用引き出し電極部２２、２４と、コンデンサ素体Ｌ１の第１及び第２の主面Ｌ１ａ、Ｌ１ｂの長辺方向を長辺方向とする矩形状の接地用連結電極部２５とを含む。接地用内部電極４０は、コンデンサ素体Ｌ１の第１及び第２の主面Ｌ１ａ、Ｌ１ｂの短辺方向を長辺方向とする矩形状の第１及び第２の接地用主電極部４１、４３と、第１及び第２の接地用主電極部４１、４３から第1の側面Ｌ１ｅに向けて伸びる第１及び第２の接地用引き出し電極部４２、４４と、コンデンサ素体Ｌ１の第１及び第２の主面Ｌ１ａ、Ｌ１ｂの長辺方向を長辺方向とする矩形状の接地用連結電極部４５とを含む。
【００２４】
第１及び第２の接地用主電極部２１、４１、２３、４３は、第１及び第２の端面Ｌ１ｃ、Ｌ１ｄの対向方向に沿って、第１の接地用主電極部２１、４１、第２の接地用主電極部２３、４３の順で離れて位置している。第１及び第２の接地用主電極部２１、４１の形状と第１及び第２の接地用主電極部２３、４３の形状とは略一致している。
【００２５】
第１の接地用引き出し電極部２２、４２は、第１の側面Ｌ１ｅに露出するように第１の接地用主電極部２１、４１から伸び、第１の接地用端子電極２に物理的に接続される。第２の接地用引き出し電極部２４、４４は、第１の側面Ｌ１ｅに露出するように第２の接地用主電極部２３、４３から伸び、第２の接地用端子電極４に物理的に接続される。
【００２６】
接地用連結電極部２５、４５は、第１の接地用主電極部２１、４１と第２の接地用主電極部２３、４３と間に位置して、第１の接地用主電極部２１、４１と第２の接地用主電極部２３、４３とを連結する。接地用連結電極部２５、４５は、第１及び第２の端面Ｌ１ｃ、Ｌ１ｄの対向方向に伸びている。
【００２７】
接地用連結電極部２５は、第１の接地用主電極部２１の第２の側面Ｌ１ｆ側の端部２１ａと第２の接地用主電極部２３の第２の側面Ｌ１ｆ側の端部２３ａとを連結する。接地用連結電極部４５は、第１の接地用主電極部４１の第２の側面Ｌ１ｆ側の端部４１ａと第２の接地用主電極部４３の第２の側面Ｌ１ｆ側の端部４３ａとを連結する。
【００２８】
信号用内部電極３０は、コンデンサ素体Ｌ１の第１及び第２の主面Ｌ１ａ、Ｌ１ｂの短辺方向を長辺方向とする矩形状の第１及び第２の信号用主電極部３１、３３と、第１及び第２の信号用主電極部３１、３３から第２の側面Ｌ１ｆに向けて伸びる第１及び第２の信号用引き出し電極部３２、３４と、コンデンサ素体Ｌ１の第１及び第２の主面Ｌ１ａ、Ｌ１ｂの長辺方向を長辺方向とする矩形状の信号用連結電極部３５とを含む。各信号用内部電極５０は、コンデンサ素体Ｌ１の第１及び第２の主面Ｌ１ａ、Ｌ１ｂの短辺方向を長辺方向とする矩形状の第１及び第２の信号用主電極部５１、５３と、第１及び第２の信号用主電極部５１、５３から第２の側面Ｌ１ｆに向けて伸びる第１及び第２の信号用引き出し電極部５２、５４と、コンデンサ素体Ｌ１の第１及び第２の主面Ｌ１ａ、Ｌ１ｂの長辺方向を長辺方向とする矩形状の信号用連結電極部５５とを含む。
【００２９】
第１及び第２の信号用主電極部３１、５１、３３、５３は、第１及び第２の端面Ｌ１ｃ、Ｌ１ｄの対向方向に沿って、第１の信号用主電極部３１、５１、第２の信号用主電極部３３、５３の順で離れて位置している。第１及び第２の信号用主電極部３１、５１の形状と第１及び第２の信号用主電極部３３、５３の形状とは略一致している。
【００３０】
第１の信号用引き出し電極部３２、５２は、第２の側面Ｌ１ｆに露出するように第１の信号用主電極部３１、５１から伸び、第１の信号用端子電極３に物理的に接続される。第２の信号用引き出し電極部３４、５４は、第２の側面Ｌ１ｆに露出するように第２の信号用主電極部３３、５３から伸び、第２の信号用端子電極５に物理的に接続される。
【００３１】
信号用連結電極部３５、５５は、第１の信号用主電極部３１、５１と第２の信号用主電極部３３、５３との間に位置して、第１の信号用主電極部３１、５１と第２の信号用主電極部３３、５３とを連結する。信号用連結電極部３５、５５は、第１及び第２の端面Ｌ１ｃ、Ｌ１ｄの対向方向に伸びている。
【００３２】
信号用連結電極部３５は、第１の信号用主電極部３１の第１の側面Ｌ１ｅ側の端部３１ａと第２の信号用主電極部３３の第１の側面Ｌ１ｅ側の端部３３ａとを連結する。信号用連結電極部５５は、第１の信号用主電極部５１の第１の側面Ｌ１ｅ側の端部５１ａと第２の信号用主電極部５３の第１の側面Ｌ１ｅ側の端部５３ａとを連結する。
【００３３】
接地用連結電極部２５、４５と信号用連結電極部３５、５５とは、第１及び第２の主面Ｌ１ａ、Ｌ１ｂの対向方向に沿って見たときに、第１及び第２の側面Ｌ１ｅ、Ｌ１ｆの対向方向で離れている。
【００３４】
第１の接地用主電極部２１及び第１の信号用主電極部３１が誘電体層１１を間に挟んで対向し、第２の接地用主電極部２３及び第２の信号用主電極部３３が誘電体層１１を間に挟んで対向する。一方、接地用連結電極部２５は、信号用内部電極３０と対向する領域を有さない。信号用連結電極部３５は、接地用内部電極２０と対向する領域を有さない。
【００３５】
第１の信号用主電極部３１及び第１の接地用主電極部４１が誘電体層１２を間に挟んで対向し、第２の信号用主電極部３３及び第２の接地用主電極部４３が誘電体層１２を間に挟んで対向する。一方、信号用連結電極部３５は、接地用内部電極４０と対向する領域を有さない。接地用連結電極部４５は、信号用内部電極３０と対向する領域を有さない。
【００３６】
第１の接地用主電極部４１及び第１の信号用主電極部５１が誘電体層１３を間に挟んで対向し、第２の接地用主電極部４３及び第２の信号用主電極部５３が誘電体層１３を間に挟んで対向する。一方、接地用連結電極部４５は、信号用内部電極５０と対向する領域を有さない。信号用連結電極部５５は、接地用内部電極４０と対向する領域を有さない。
【００３７】
図３に貫通型積層コンデンサＣ１の等価回路図を示す。図３では、第１及び第２の接地用端子電極２、４がグランドに接続され、第１及び第２の信号用端子電極３、５が信号導線に接続されている場合を表す。貫通型積層コンデンサＣ１では、接地用内部電極２０、４０の第１の接地用主電極部２１，４１と信号用内部電極３０、５０の第１の信号用主電極部３１、５１とが互いに対向し、静電容量Ｃ１１を形成する。さらに、接地用内部電極２０、４０の第２の接地用主電極部２３，４３と信号用内部電極３０、５０の第２の信号用主電極部３３、５３とが互いに対向し、静電容量Ｃ１２を形成する。
【００３８】
これに対し、接地用内部電極２０、４０の接地用連結電極部２５、４５は、信号用内部電極３０、５０の何れにも対向する領域を有さない。信号用内部電極３０、５０の信号用連結電極部３５、５５は何れも、接地用内部電極２０、４０の何れにも対向する領域を有さない。
【００３９】
そのため、貫通型積層コンデンサＣ１は、図３に示すように、静電容量Ｃ１１、Ｃ１２をそれぞれ有する２つのコンデンサが並列接続された回路を実現することができる。
【００４０】
また、貫通型積層コンデンサＣ１では、接地用連結電極部２５、４５と信号用連結電極部３５、５５とが離れて形成される。そのため、貫通型積層コンデンサＣ１に形成される複数の静電容量Ｃ１１、Ｃ１２が好適に分離して形成される。
【００４１】
特に、貫通型積層コンデンサＣ１では、接地用連結電極部２５、４５が第１及び第２の接地用主電極部２１、４１、２３、４３の第２の側面Ｌ１ｆ側の端部２１ａ、４１ａ、２３ａ、４３ａを連結している。すなわち、接地用連結電極部２５、４５は第２の側面Ｌ１ｆ側に配置されている。一方、信号用連結電極部３５、３５が第１及び第２の信号用主電極部３１、５１、３３、５３の第１の側面Ｌ１ｅ側の端部３１ａ、５１ａ、３３ａ、５３ａを連結している。すなわち、信号用連結電極部３５、５５は第１の側面Ｌ１ｅ側に配置されている。このように、各連結電極部がコンデンサ素体Ｌ１の側面寄りであって、且つ互いに反対側に配置されているため、接地用連結電極部２５、４５と信号用連結電極部３５、５５との間に物理的に十分大きな距離をとることができる。そのため、貫通型積層コンデンサＣ１では、複数の静電容量Ｃ１１、Ｃ１２をより一層好適に分離することができる。
【００４２】
第１実施形態に係る貫通型積層コンデンサＣ１では、第１の接地用主電極部２１、４１の形状及び第２の接地用主電極部２３、４３の形状が、並びに第１の信号用主電極部３１、５１の形状及び第２の信号用主電極部３３、５３の形状が略一致していたが、これらが異なっていてもよい。
【００４３】
図４に、第１実施形態に係る貫通型積層コンデンサＣ１の変形例が備えるコンデンサ素体Ｌ１の分解斜視図を示す。第１実施形態に係る貫通型積層コンデンサＣ１の変形例では、図４に示すように、接地用内部電極２０、４０において、第１の接地用主電極部２１、４１の面積と第２の接地用主電極部２３、４３の面積とが異なる。さらに、信号用内部電極３０、５０において、第１の信号用主電極部３１、５１の面積と第２の信号用主電極部３３、５３の面積とが異なる。
【００４４】
具体的には、第１の接地用主電極部２１、４１の面積が、第２の接地用主電極部２３、４３の面積に比べて小さい。第１の信号用主電極部３１、５１の面積が、第２の信号用主電極部３３、５３の面積に比べて小さい。第１の接地用主電極部２１、４１の面積と第１の信号用主電極部３１、５１の面積とが略同じであり、第１及び第２の主面Ｌ１ａ、Ｌ１ｂの対向方向に沿って互いに対向している。第２の接地用主電極部２３、４３の面積と第２の信号用主電極部３３、５３の面積とが略同じであり、第１及び第２の主面Ｌ１ａ、Ｌ１ｂの対向方向に沿って互いに対向している。
【００４５】
この場合、第１の接地用主電極部２１，４１と第１の信号用主電極部３１、５１とが対向して形成される静電容量の大きさと、第２の接地用主電極部２３，４３と第２の信号用主電極部３３、５３とが対向して形成される静電容量の大きさとが異なる。したがって、貫通型積層コンデンサには大きさの異なる静電容量が複数形成される。
【００４６】
図５に、第１実施形態に係る貫通型積層コンデンサＣ１、及び第１実施形態に係る貫通型積層コンデンサＣ１の変形例それぞれの周波数（Ｈｚ)に関するインピーダンス（Ω）特性を表すグラフを示す。図５に示したグラフの横軸は周波数（Ｈｚ）を表し、縦軸はインピーダンス（Ω）を表す。
【００４７】
図５の点線で表されたグラフＺ１が第１実施形態に係る貫通型積層コンデンサＣ１に対応し、実線で表されたグラフＺ２が第１実施形態に係る貫通型積層コンデンサＣ１の変形例に対応する。図５のグラフＺ１に示されるように、第１実施形態に係る貫通型積層コンデンサＣ１では、コンデンサに形成された２つの静電容量が同じ値なので、当該静電容量に対応する共振周波数ｆ１にのみインピーダンスが極小となる点を有する。一方、図５のグラフＺ２に示されるように、第１実施形態に係る貫通型積層コンデンサＣ１の変形例では、コンデンサに形成された２つの静電容量の値が異なるので、異なる共振周波数ｆ１、ｆ２の双方にインピーダンスが極小となる点を有する。このように、貫通型積層コンデンサＣ１の変形例は、２つの異なる静電容量を有しているため、１つの静電容量をもつ場合と比べ、広い周波数帯域にわたってインピーダンスを低くすることが可能となる。
（第２実施形態）
【００４８】
図６、７、１０を参照して、第２実施形態に係る貫通型積層コンデンサＣ２の構成について説明する。第２実施形態に係る貫通型積層コンデンサＣ２は、接地用内部電極及び信号用内部電極の形状の点で第１実施形態に係る貫通型積層コンデンサＣ１とは異なる。図６は、実施形態に係る貫通型積層コンデンサの斜視図である。図７は、実施形態に係る貫通型積層コンデンサに含まれるコンデンサ素体の分解斜視図である。図１０は、第２実施形態に係る貫通型積層コンデンサの等価回路図である。
【００４９】
第２実施形態に係る貫通型積層コンデンサＣ２は、図６に示されるように、コンデンサ素体Ｌ２と、コンデンサ素体Ｌ２の外表面に配置された第１及び第２の接地用端子電極２、４と、コンデンサ素体Ｌ２の外表面に配置された第１及び第２の信号用端子電極３、５とを備える。
【００５０】
コンデンサ素体Ｌ２は、図６に示されるように、直方体状であり、互いに対向する長方形状の第１及び第２の主面Ｌ２ａ、Ｌ２ｂと、第１及び第２の主面Ｌ２ａ、Ｌ２ｂ間を連結するように第1及び第２の主面Ｌ２ａ、Ｌ２ｂの短辺方向に伸び且つ互いに対向する第１及び第２の端面Ｌ２ｃ、Ｌ２ｄと、第1及び第２の主面Ｌ２ａ、Ｌ２ｂを連結するように第1及び第２の主面Ｌ２ａ、Ｌ２ｂの長辺方向に伸び且つ互いに対向する第１及び第２の側面Ｌ２ｅ、Ｌ２ｆとを有する。
【００５１】
第１及び第２の接地用端子電極２、４は、第１の側面Ｌ２ｅ上に、この順で第１の端面Ｌ２ｃ側から第２の端面Ｌ２ｄ側に向かって配置されている。第１及び第２の信号用端子電極３、５は、コンデンサ素体Ｌ２の第２の側面Ｌ２ｆ上に、この順で第１の端面Ｌ２ｃ側から第２の端面Ｌ２ｄ側に向かって配置されている。
【００５２】
コンデンサ素体Ｌ２は、図７に示されるように、積層された複数（本実施形態では、５層）の誘電体層１０〜１４を有する。図７に示されているように、コンデンサ素体Ｌ２には、複数（本実施形態では、２層）の接地用内部電極２０、４０と、複数（本実施形態では、２層）の信号用内部電極３０、５０とが交互に配置されている。
【００５３】
接地用内部電極２０、４０と信号用内部電極３０、５０とは、コンデンサ素体Ｌ２の一部である１層の誘電体層１１、１２、１３をそれぞれ間に挟んで、第１及び第２の主面Ｌ２ａ、Ｌ２ｂの対向方向に沿って対向する。
【００５４】
各接地用内部電極２０、４０は、コンデンサ素体Ｌ２の第１及び第２の主面Ｌ２ａ、Ｌ２ｂの短辺方向を長辺方向とする矩形状の第１〜第３の接地用主電極部２１、４１、２３、４３、２７、４７と、第１及び第２の接地用主電極部２１、４１、２３、４３から第1の側面Ｌ２ｅに向けて伸びる第１及び第２の接地用引き出し電極部２２、４２、２４、４４と、コンデンサ素体Ｌ２の第１及び第２の主面Ｌ２ａ、Ｌ２ｂの長辺方向を長辺方向とする矩形状の第１及び第２の接地用連結電極部２５、２６、４５、４６とを含む。
【００５５】
第１〜第３の接地用主電極部２１、４１、２３、４３、２６、４６は、第１及び第２の端面Ｌ２ｃ、Ｌ２ｄの対向方向に沿って、第１の接地用主電極部２１、４１、第３の接地用主電極部２７、４７、第２の接地用主電極部２３、４３の順で離れて位置している。
【００５６】
第１の接地用引き出し電極部２２、４２は、第１の側面Ｌ２ｅに露出するように第１の接地用主電極部２１、４１から伸び、第１の接地用端子電極２に物理的に接続される。第２の接地用引き出し電極部２４、４４は、第１の側面Ｌ２ｅに露出するように第２の接地用主電極部２２、４２から伸び、第２の接地用端子電極４に物理的に接続される。
【００５７】
第１の接地用連結電極部２５、４５は、第１の接地用主電極部２１、４１と第３の接地用主電極部２７、４７との間に位置して、第１の接地用主電極部２１、４１と第３の接地用主電極部２７、４７とを連結する。第２の接地用連結電極部２６、４６は、第２の接地用主電極部２３、４３と第３の接地用主電極部２７、４７との間に位置して、第２の接地用主電極部２３、４３と第３の接地用主電極部２７、４７とを連結する。すなわち、第１及び第２の接地用連結電極部２５、４５、２６、４６は、第１の接地用主電極部２１、４１と第２の接地用主電極部２３、４３との間に位置する。
【００５８】
第１及び第２の接地用連結電極部２５、４５、２６、４６は、第１及び第２の端面Ｌ２ｃ、Ｌ２ｄの対向方向に伸びている。
【００５９】
第１の接地用連結電極部２５は、第１の接地用主電極部２１の第２の側面Ｌ２ｆ側の端部２１ａと第３の接地用主電極部２７の第２の側面Ｌ２ｆ側の端部２７ａとを連結する。第２の接地用連結電極部２６は、第２の接地用主電極部２３の第２の側面Ｌ２ｆ側の端部２３ａと第３の接地用主電極部２７の第２の側面Ｌ２ｆ側の端部２７ａとを連結する。すなわち、第１及び第２の接地用連結電極部２５、２６は、第１〜第３の接地用主電極部２１、２３、２７の第２の側面Ｌ２ｆ側のそれぞれの端部２１ａ、２３ａ、２７ａを連結する。
【００６０】
第１の接地用連結電極部４５は、第１の接地用主電極部４１の第２の側面Ｌ２ｆ側の端部４１ａと第３の接地用主電極部４７の第２の側面Ｌ２ｆ側の端部４７ａとを連結する。第２の接地用連結電極部４６は、第２の接地用主電極部４３の第２の側面Ｌ２ｆ側の端部４３ａと第３の接地用主電極部４７の第２の側面Ｌ２ｆ側の端部４７ａとを連結する。すなわち、第１及び第２の接地用連結電極部４５、４６は、第１〜第３の接地用主電極部４１、４３、４７の第２の側面Ｌ２ｆ側のそれぞれの端部４１ａ、４３ａ、４７ａを連結する。
【００６１】
各信号用内部電極３０、４０は、コンデンサ素体Ｌ２の第１及び第２の主面Ｌ２ａ、Ｌ２ｂの短辺方向を長辺方向とする矩形状の第１〜第３の信号用主電極部３１、５１、３３、５３、３７、５７と、第１及び第２の信号用主電極部３１、５１、３３、５３から第２の側面Ｌ２ｆに向けて伸びる第１及び第２の信号用引き出し電極部３２、５２、３４、５４と、コンデンサ素体Ｌ２の第１及び第２の主面Ｌ２ａ、Ｌ２ｂの長辺方向を長辺方向とする矩形状の第１及び第２の信号用連結電極部３５、３６、５５、５６とを含む。
【００６２】
第１〜第３の信号用主電極部３１、５１、３３、５３、３６、５６は、第１及び第２の端面Ｌ２ｃ、Ｌ２ｄの対向方向に沿って、第１の信号用主電極部３１、５１、第３の信号用主電極部３７、５７、第２の信号用主電極部３３、５３の順で離れて位置している。
【００６３】
第１の信号用引き出し電極部３２、５２は、第２の側面Ｌ２ｆに露出するように第１の信号用主電極部３１、５１から伸び、第１の信号用端子電極３に物理的に接続される。第２の信号用引き出し電極部３４、５４は、第２の側面Ｌ２ｆに露出するように第２の信号用主電極部３３、５３から伸び、第２の信号用端子電極５に物理的に接続される。
【００６４】
第１の信号用連結電極部３５、５５は、第１の信号用主電極部３１、５１と第３の信号用主電極部３７、５７との間に位置して、第１の信号用主電極部３１、５１と第３の信号用主電極部３７、５７とを連結する。第２の信号用連結電極部３６、５６は、第２の信号用主電極部３３、５３と第３の信号用主電極部３７、５７との間に位置して、第２の信号用主電極部３３、５３と第３の信号用主電極部３７、５７とを連結する。すなわち、第１及び第２の信号用連結電極部３５、５５、３６、５６は、第１の信号用主電極部３１、５１と第２の信号用主電極部３３、５３との間に位置する。
【００６５】
第１及び第２の信号用連結電極部３５、５５、３６、５６は、第１及び第２の端面Ｌ２ｃ、Ｌ２ｄの対向方向に伸びている。
【００６６】
第１の信号用連結電極部３５は、第１の信号用主電極部３１の第１の側面Ｌ２ｅ側の端部３１ａと第３の信号用主電極部３７の第１の側面Ｌ２ｅ側の端部３７ａとを連結する。第２の信号用連結電極部３６は、第２の信号用主電極部３３の第１の側面Ｌ２ｅ側の端部３３ａと第３の信号用主電極部３７の第１の側面Ｌ２ｅ側の端部３７ａとを連結する。すなわち、第１及び第２の信号用連結電極部３５、３６は、第１〜第３の信号用主電極部３１、３３、３７の第１の側面Ｌ２ｅ側のそれぞれの端部３１ａ、３３ａ、３７ａを連結する。
【００６７】
第１の信号用連結電極部５５は、第１の信号用主電極部５１の第１の側面Ｌ２ｅ側の端部５１ａと第３の信号用主電極部５７の第１の側面Ｌ２ｅ側の端部５７ａとを連結する。第２の信号用連結電極部５６は、第２の信号用主電極部５３の第１の側面Ｌ２ｅ側の端部５３ａと第３の信号用主電極部５７の第１の側面Ｌ２ｅ側の端部５７ａとを連結する。すなわち、第１及び第２の信号用連結電極部５５、５６は、第１〜第３の信号用主電極部５１、５３、５７の第１の側面Ｌ２ｅ側のそれぞれの端部５１ａ、５３ａ、５７ａを連結する。
【００６８】
第１の接地用連結電極部２５、４５と第１の信号用連結電極部３５、５５とは、第１及び第２の主面Ｌ２ａ、Ｌ２ｂの対向方向に沿って見たときに、第１及び第２の側面Ｌ２ｅ、Ｌ２ｆの対向方向で離れている。第１の接地用連結電極部２５、４５と第１の信号用連結電極部３５、５５とは、第１及び第２の主面Ｌ２ａ、Ｌ２ｂの対向方向に沿って見たときに、第１及び第２の側面Ｌ２ｅ、Ｌ２ｆの対向方向で離れている。
【００６９】
第１の接地用主電極部２１及び第１の信号用主電極部３１が誘電体層１１を間に挟んで対向し、第２の接地用主電極部２３及び第２の信号用主電極部３３が誘電体層１１を間に挟んで対向し、第３の接地用主電極部２７及び第３の信号用主電極部３７が誘電体層１１を間に挟んで対向する。一方、第１及び第２の接地用連結電極部２５、２６は、信号用内部電極３０と対向する領域を有さない。第１及び第２の信号用連結電極部３５、３６は、接地用内部電極２０と対向する領域を有さない。
【００７０】
第１の信号用主電極部３１及び第１の接地用主電極部４１が誘電体層１２を間に挟んで対向し、第２の信号用主電極部３３及び第２の接地用主電極部４３が誘電体層１２を間に挟んで対向し、第３の信号用主電極部３７及び第３の接地用主電極部４７が誘電体層１２を間に挟んで対向する。一方、第１及び第２の信号用連結電極部３５、３６は、接地用内部電極４０と対向する領域を有さない。第１及び第２の接地用連結電極部４５、４６は、信号用内部電極３０と対向する領域を有さない。
【００７１】
第１の接地用主電極部４１及び第１の信号用主電極部５１が誘電体層１３を間に挟んで対向し、第２の接地用主電極部４３及び第２の信号用主電極部５３が誘電体層１３を間に挟んで対向し、第３の接地用主電極部４７及び第３の信号用主電極部５７が誘電体層１３を間に挟んで対向する。一方、第１及び第２の接地用連結電極部４５、４６は、信号用内部電極５０と対向する領域を有さない。第１及び第２の信号用連結電極部５５、５６は、接地用内部電極４０と対向する領域を有さない。
【００７２】
図１０に貫通型積層コンデンサＣ２の等価回路図を示す。図１０では、第１及び第２の接地用端子電極２、４がグランドに接続され、第１及び第２の信号用端子電極３、５が信号導線に接続されている場合を表す。貫通型積層コンデンサＣ２では、接地用内部電極２０、４０の第１の接地用主電極部２１，４１と信号用内部電極３０、５０の第１の信号用主電極部３１、５１とが互いに対向し、静電容量Ｃ２１を形成する。接地用内部電極２０、４０の第２の接地用主電極部２３，４３と信号用内部電極３０、５０の第２の信号用主電極部３３、５３とが互いに対向し、静電容量Ｃ２２を形成する。接地用内部電極２０、４０の第３の接地用主電極部２７，４７と信号用内部電極３０、５０の第３の信号用主電極部３７、５７とが互いに対向し、静電容量Ｃ２３を形成する。
【００７３】
これに対し、接地用内部電極２０、４０の第１及び第２の接地用連結電極部２５、４５、２６、４６は、信号用内部電極３０、５０の何れにも対向する領域を有さない。信号用内部電極３０、５０の第１及び第２の信号用連結電極部３５、５５、３６、５６は何れも、接地用内部電極２０、４０の何れにも対向する領域を有さない。
【００７４】
そのため、貫通型積層コンデンサＣ２は、図１０に示すように、静電容量Ｃ２１、Ｃ２２、Ｃ２３をそれぞれ有する３つのコンデンサが並列接続された回路を実現することができる。
【００７５】
貫通型積層コンデンサＣ２では、第１の接地用連結電極部２５、４５と第１の信号用連結電極部３５、５５とが、第１及び第２の側面Ｌ１ｅ、Ｌ１ｆの対向方向に沿って離れて形成される。そのため、貫通型積層コンデンサＣ２に形成される複数の静電容量Ｃ２１、Ｃ２２が好適に分離して形成される。
【００７６】
また、貫通型積層コンデンサＣ２では、第２の接地用連結電極部２６、４６と第２の信号用連結電極部３６、５６とが、第１及び第２の側面Ｌ１ｅ、Ｌ１ｆの対向方向に沿って離れて形成される。そのため、貫通型積層コンデンサＣ２に形成される複数の静電容量Ｃ２２、Ｃ２３が好適に分離して形成される。
【００７７】
特に、貫通型積層コンデンサＣ２では、第１及び第２の接地用連結電極部２５、４５、２６、４６が第２の側面Ｌ２ｆ側に配置され、第１及び第２の信号用連結電極部３５、５５、３６、５６が第１の側面Ｌ２ｅ側に配置されている。このように、各連結電極部がコンデンサ素体Ｌ２の側面寄りであって、且つ互いに反対側に配置されているため、接地用連結電極部２５、４５、２６、４６と、信号用連結電極部３５、５５、３６、５６との間に物理的に十分大きな距離をとることができる。そのため、貫通型積層コンデンサＣ２では、複数の静電容量Ｃ２１、Ｃ２２、Ｃ２３をより一層好適に分離することができる。
（第３実施形態）
【００７８】
図８及び図９を参照して、第３実施形態に係る貫通型積層コンデンサＣ３の構成について説明する。第３実施形態に係る貫通型積層コンデンサは、端子電極の数及び内部電極の数の点で、第１実施形態に係る貫通型積層コンデンサとは異なる。図８は、実施形態に係る貫通型積層コンデンサの斜視図である。図９は、実施形態に係る貫通型積層コンデンサに含まれるコンデンサ素体の分解斜視図である。
【００７９】
第３実施形態に係る貫通型積層コンデンサＣ３は、図８に示されるように、コンデンサ素体Ｌ３と、コンデンサ素体Ｌ３の外表面に配置された第１及び第２の接地用端子電極２、６、４、８と、コンデンサ素体Ｌ３の外表面に配置された第１及び第２の信号用端子電極３、７、５、９とを備える。
【００８０】
コンデンサ素体Ｌ３は、図８に示されるように、直方体状であり、互いに対向する長方形状の第１及び第２の主面Ｌ３ａ、Ｌ３ｂと、第１及び第２の主面Ｌ３ａ、Ｌ３ｂ間を連結するように第1及び第２の主面Ｌ３ａ、Ｌ３ｂの短辺方向に伸び且つ互いに対向する第１及び第２の端面Ｌ３ｃ、Ｌ３ｄと、第1及び第２の主面Ｌ３ａ、Ｌ３ｂを連結するように第1及び第２の主面Ｌ３ａ、Ｌ３ｂの長辺方向に伸び且つ互いに対向する第１及び第２の側面Ｌ３ｅ、Ｌ３ｆとを有する。
【００８１】
第１及び第２の接地用端子電極２、６、４、８は、コンデンサ素体Ｌ３の第１の側面Ｌ３ｅに配置されている。第１及び第２の接地用端子電極２、６、４、８は、第１の側面Ｌ３ｅ上に、第１の端面Ｌ３ｃ側から第２の端面Ｌ３ｄ側に向かって、第１の接地用端子電極２、第２の接地用端子電極４、第１の接地用端子電極６、第２の接地用端子電極８の順で配置されている。
【００８２】
第１及び第２の信号用端子電極３、７、５、９は、コンデンサ素体Ｌ３の第２の側面Ｌ３ｆに配置されている。第１及び第２の信号用端子電極３、７、５、９は、第２の側面Ｌ３ｆ上に、第１の端面Ｌ３ｃ側から第２の端面Ｌ３ｄ側に向かって、第１の信号用端子電極３、第２の信号用端子電極５、第１の信号用端子電極７、第２の信号用端子電極９の順で配置されている。
【００８３】
コンデンサ素体Ｌ３は、図９に示されるように、積層された複数（本実施形態では、５層）の誘電体層１０〜１４を有する。コンデンサ素体Ｌ３には、第１及び第２の電極群Ａ１、Ａ２が配置されている。第１の電極群Ａ１は、複数（本実施形態では２層）の接地用内部電極２０、４０及び複数（本実施形態では２層）の信号用内部電極３０、５０を有する。第２の電極群Ａ２は、複数（本実施形態では２層）の接地用内部電極６０、８０及び複数（本実施形態では２層）の信号用内部電極７０、９０を有する。第１の電極群Ａ１と第２の電極群Ａ２とは、コンデンサ素体Ｌ３内において、第１及び第２の端面Ｌ１ｃ、Ｌ１ｄの対向方向に沿って併置されている。具体的には、第１の電極群Ａ１が第１の端面Ｌ１ｃ側に、第２の電極群Ａ２が第２の端面Ｌ１ｄ側に配置されている。各内部電極２０、３０、４０、５０、６０、７０、８０、９０は、例えば、導電性ペーストの焼結体から構成される。
【００８４】
接地用内部電極２０と接地用内部電極６０とは、第１及び第２の主面Ｌ１ａ、Ｌ１ｂの対向方向において同じ位置に配置されている。接地用内部電極４０と接地用内部電極８０とは、第１及び第２の主面Ｌ１ａ、Ｌ１ｂの対向方向において同じ位置に配置されている。信号用内部電極３０と信号用内部電極７０とは、第１及び第２の主面Ｌ１ａ、Ｌ１ｂの対向方向において同じ位置に配置されている。信号用内部電極５０と信号用内部電極９０とは、第１及び第２の主面Ｌ１ａ、Ｌ１ｂの対向方向において同じ位置に配置されている。
【００８５】
接地用内部電極２０、６０と信号用内部電極３０、７０とは、誘電体層１１を間に挟んで、第１及び第２の主面Ｌ３ａ、Ｌ３ｂの対向方向に沿って対向する。信号用内部電極３０、７０と接地用内部電極４０、８０とは、誘電体層１２を間に挟んで、第１及び第２の主面Ｌ３ａ、Ｌ３ｂの対向方向に沿って対向する。接地用内部電極４０、８０と信号用内部電極５０、９０とは、誘電体層１３を間に挟んで、第１及び第２の主面Ｌ３ａ、Ｌ３ｂの対向方向に沿って対向する。
【００８６】
接地用内部電極２０、６０、４０、８０は、コンデンサ素体Ｌ３の第１及び第２の主面Ｌ３ａ、Ｌ３ｂの短辺方向を長辺方向とする矩形状の第１及び第２の接地用主電極部２１、４１、６１、８１、２３、４３、６３、８３と、第１及び第２の接地用主電極部２１、４１、６１、８１、２３、４３、６３、８３から第1の側面Ｌ３ｅに向けて伸びる第１及び第２の接地用引き出し電極部２２、４２、６２、８２、２４、４４、６４、８４と、コンデンサ素体Ｌ３の第１及び第２の主面Ｌ３ａ、Ｌ３ｂの長辺方向を長辺方向とする矩形状の接地用連結電極部２５、４５、６５、８５とを含む。
【００８７】
第１及び第２の接地用主電極部２１、４１、６１、８１、２３、４３、６３、８３は、第１及び第２の端面Ｌ３ｃ、Ｌ３ｄの対向方向に沿って、第１の接地用主電極部２１、４１、６１、８１、第２の接地用主電極部２３、４３、６３、８３の順で離れて位置している。第１の接地用主電極部２１、４１、６１、８１の形状と第２の接地用主電極部２３、４３、６３、８３の形状とは略一致している。
【００８８】
第１の接地用引き出し電極部２２、４２は、第１の側面Ｌ３ｅに露出するように第１の接地用主電極部２１、４１から伸び、第１の接地用端子電極２に物理的に接続される。第１の接地用引き出し電極部６２、８２は、第１の側面Ｌ３ｅに露出するように第１の接地用主電極部６１、８１から伸び、第１の接地用端子電極６に物理的に接続される。第２の接地用引き出し電極部２４、４４は、第１の側面Ｌ３ｅに露出するように第２の接地用主電極部２２、４２から伸び、第２の接地用端子電極４に物理的に接続される。第２の接地用引き出し電極部６４、８４は、第１の側面Ｌ３ｅに露出するように第２の接地用主電極部６３、８３から伸び、第２の接地用端子電極８に物理的に接続される。
【００８９】
接地用連結電極部２５、４５、６５、８５は、第１の接地用主電極部２１、４１、６１、８１と第２の接地用主電極部２３、４３、６３、８３との間に位置して、第１の接地用主電極部２１、４１、６１、８１と第２の接地用主電極部２３、４３、６３、８３とを連結する。接地用連結電極部２５、４５、６５、８５は、第１及び第２の端面Ｌ３ｃ、Ｌ３ｄの対向方向に伸びている。
【００９０】
接地用連結電極部２５は、第１の接地用主電極部２１の第２の側面Ｌ３ｆ側の端部２１ａと第２の接地用主電極部２３の第２の側面Ｌ３ｆ側の端部２３ａとを連結する。接地用連結電極部４５は、第１の接地用主電極部４１の第２の側面Ｌ３ｆ側の端部４１ａと第２の接地用主電極部４３の第２の側面Ｌ３ｆ側の端部４３ａとを連結する。接地用連結電極部６５は、第１の接地用主電極部６１の第２の側面Ｌ３ｆ側の端部６１ａと第２の接地用主電極部６３の第２の側面Ｌ３ｆ側の端部６３ａとを連結する。接地用連結電極部８５は、第１の接地用主電極部８１の第２の側面Ｌ３ｆ側の端部８１ａと第２の接地用主電極部８３の第２の側面Ｌ３ｆ側の端部８３ａとを連結する。
【００９１】
信号用内部電極３０、５０、７０、９０は、コンデンサ素体Ｌ３の第１及び第２の主面Ｌ３ａ、Ｌ３ｂの短辺方向を長辺方向とする矩形状の第１及び第２の信号用主電極部３１、５１、７１、９１、３３、５３、７３、９３と、第１及び第２の信号用主電極部３１、５１、７１、９１、３３、５３、７３、９３から第２の側面Ｌ３ｆに向けて伸びる第１及び第２の信号用引き出し電極部３２、５２、７２、９２、３４、５４、７４、９４と、コンデンサ素体Ｌ３の第１及び第２の主面Ｌ３ａ、Ｌ３ｂの長辺方向を長辺方向とする矩形状の信号用連結電極部３５、５５、７５、９５とを含む。
【００９２】
第１及び第２の信号用主電極部３１、５１、７１、９１、３３、５３、７３、９３は、第１及び第２の端面Ｌ３ｃ、Ｌ３ｄの対向方向に沿って、第１の信号用主電極部３１、５１、７１、９１、第２の信号用主電極部３３、５３、７３、９３の順で離れて位置している。第１の信号用主電極部３１、５１、７１、９１の形状と第２の信号用主電極部３３、５３、７３、９３の形状とは略一致している。
【００９３】
第１の信号用引き出し電極部３２、５２は、第２の側面Ｌ３ｆに露出するように第１の信号用主電極部３１、５１から伸び、第１の信号用端子電極３に物理的に接続される。第１の信号用引き出し電極部７２、９２は、第２の側面Ｌ３ｆに露出するように第１の信号用主電極部７１、９１から伸び、第１の信号用端子電極７に物理的に接続される。第２の信号用引き出し電極部３４、５４は、第２の側面Ｌ３ｆに露出するように第２の信号用主電極部３３、５３から伸び、第２の信号用端子電極５に物理的に接続される。第２の信号用引き出し電極部７４、９４は、第２の側面Ｌ３ｆに露出するように第２の信号用主電極部７３、９３から伸び、第２の信号用端子電極９に物理的に接続される。
【００９４】
信号用連結電極部３５、５５、７５、９５は、第１の信号用主電極部３１、５１、７１、９１と第２の信号用主電極部３３、５３、７３、９３との間に位置して、第１の信号用主電極部３１、５１、７１、９１と第２の信号用主電極部３３、５３、７３、９３とを連結する。信号用連結電極部３５、５５、７５、９５は、第１及び第２の端面Ｌ３ｃ、Ｌ３ｄの対向方向に伸びている。
【００９５】
信号用連結電極部３５は、第１の信号用主電極部３１の第１の側面Ｌ３ｅ側の端部３１ａと第２の信号用主電極部３３の第１の側面Ｌ３ｅ側の端部３３ａとを連結する。信号用連結電極部５５は、第１の信号用主電極部５１の第１の側面Ｌ３ｅ側の端部５１ａと第２の信号用主電極部５３の第１の側面Ｌ３ｅ側の端部５３ａとを連結する。信号用連結電極部７５は、第１の信号用主電極部７１の第１の側面Ｌ３ｅ側の端部７１ａと第２の信号用主電極部７３の第１の側面Ｌ３ｅ側の端部７３ａとを連結する。信号用連結電極部９５は、第１の信号用主電極部９１の第１の側面Ｌ３ｅ側の端部９１ａと第２の信号用主電極部９３の第１の側面Ｌ３ｅ側の端部９３ａとを連結する。
【００９６】
接地用連結電極部２５、４５と信号用連結電極部３５、５５とは、第１及び第２の主面Ｌ３ａ、Ｌ３ｂの対向方向に沿って見たときに、第１及び第２の側面Ｌ３ｅ、Ｌ３ｆの対向方向で離れている。接地用連結電極部６５、８５と信号用連結電極部７５、９５とは、第１及び第２の主面Ｌ３ａ、Ｌ３ｂの対向方向に沿って見たときに、第１及び第２の側面Ｌ３ｅ、Ｌ３ｆの対向方向で離れている。
【００９７】
第１の接地用主電極部２１及び第１の信号用主電極部３１が誘電体層１１を間に挟んで対向し、第２の接地用主電極部２３及び第２の信号用主電極部３３が誘電体層１１を間に挟んで対向する。一方、接地用連結電極部２５は、信号用内部電極３０と対向する領域を有さない。信号用連結電極部３５は、接地用内部電極２０と対向する領域を有さない。
【００９８】
第１の信号用主電極部３１及び第１の接地用主電極部４１が誘電体層１２を間に挟んで対向し、第２の信号用主電極部３３及び第２の接地用主電極部４３が誘電体層１２を間に挟んで対向する。一方、信号用連結電極部３５は、接地用内部電極４０と対向する領域を有さない。接地用連結電極部４５は、信号用内部電極３０と対向する領域を有さない。
【００９９】
第１の接地用主電極部４１及び第１の信号用主電極部５１が誘電体層１３を間に挟んで対向し、第２の接地用主電極部４３及び第２の信号用主電極部５３が誘電体層１３を間に挟んで対向する。一方、接地用連結電極部４５は、信号用内部電極５０と対向する領域を有さない。信号用連結電極部５５は、接地用内部電極４０と対向する領域を有さない。
【０１００】
第１の接地用主電極部６１及び第１の信号用主電極部７１が誘電体層１１を間に挟んで対向し、第２の接地用主電極部６３及び第２の信号用主電極部７３が誘電体層１１を間に挟んで対向する。一方、接地用連結電極部６５は、信号用内部電極７０と対向する領域を有さない。信号用連結電極部７５は、接地用内部電極６０と対向する領域を有さない。
【０１０１】
第１の信号用主電極部７１及び第１の接地用主電極部８１が誘電体層１２を間に挟んで対向し、第２の信号用主電極部７３及び第２の接地用主電極部８３が誘電体層１２を間に挟んで対向する。一方、信号用連結電極部７５は、接地用内部電極８０と対向する領域を有さない。接地用連結電極部８５は、信号用内部電極７０と対向する領域を有さない。
【０１０２】
第１の接地用主電極部８１及び第１の信号用主電極部９１が誘電体層１３を間に挟んで対向し、第２の接地用主電極部８３及び第２の信号用主電極部９３が誘電体層１３を間に挟んで対向する。一方、接地用連結電極部８５は、信号用内部電極９０と対向する領域を有さない。信号用連結電極部９５は、接地用内部電極８０と対向する領域を有さない。
【０１０３】
貫通型積層コンデンサＣ３では、第１の電極群Ａ１に含まれる接地用内部電極２０、４０の第１の接地用主電極部２１，４１と信号用内部電極３０、５０の第１の信号用主電極部３１、５１とが互いに対向し、静電容量を形成する。また、第１の電極群Ａ１に含まれる接地用内部電極２０、４０の第２の接地用主電極部２３，４３と信号用内部電極３０、７０の第２の信号用主電極部３３、５３とが互いに対向し、静電容量を形成する。これに対し、接地用内部電極２０、４０の接地用連結電極部２５、４５は、信号用内部電極３０、５０の何れにも対向する領域を有さない。信号用内部電極３０、５０の信号用連結電極部３５、５５は何れも、接地用内部電極２０、４０の何れにも対向する領域を有さない。
【０１０４】
そのため、貫通型積層コンデンサＣ３の第１の電極群Ａ１は、静電容量をそれぞれ有する２つのコンデンサが並列接続された回路を実現することができる。
【０１０５】
貫通型積層コンデンサＣ３では、第２の電極群Ａ２に含まれる接地用内部電極６０、８０の第１の接地用主電極部６１，８１と信号用内部電極７０、９０の第１の信号用主電極部７１、９１とが互いに対向し、静電容量を形成する。また、第２の電極群Ａ２に含まれる接地用内部電極６０、８０の第２の接地用主電極部６３，８３と信号用内部電極７０、９０の第２の信号用主電極部７３、９３とが互いに対向し、静電容量を形成する。これに対し、接地用内部電極６０、８０の接地用連結電極部６５、８５は、信号用内部電極７０、９０の何れにも対向する領域を有さない。信号用内部電極７０、９０の信号用連結電極部７５、９５は何れも、接地用内部電極６０、８０の何れにも対向する領域を有さない。
【０１０６】
そのため、貫通型積層コンデンサＣ３の第２の電極群Ａ２は、静電容量をそれぞれ有する２つのコンデンサが並列接続された回路を実現することができる。
【０１０７】
このように、貫通型積層コンデンサＣ３は、並列接続された２つのコンデンサを２つ有するコンデンサアレイである。
【０１０８】
貫通型積層コンデンサＣ３では、接地用連結電極部２５、４５と信号用連結電極部３５、５５とが離れて形成される。そのため、貫通型積層コンデンサＣ３の第１の電極群Ａ１によって形成される複数の静電容量が好適に分離して形成される。
【０１０９】
特に、貫通型積層コンデンサＣ３の第１の電極群Ａ１では、接地用連結電極部２５、４５が第２の側面Ｌ３ｆ側に配置され、信号用連結電極部３５、５５が第１の側面Ｌ３ｅ側に配置されている。このように、各連結電極部がコンデンサ素体Ｌ３の側面寄りであって、且つ互いに反対側に配置されているため、接地用連結電極部２５、４５と信号用連結電極部３５、５５との間に物理的に十分大きな距離をとることができる。そのため、貫通型積層コンデンサＣ３の第１の電極群Ａ１では、複数の静電容量をより一層好適に分離することができる。
【０１１０】
また、接地用連結電極部６５、８５と信号用連結電極部７５、９５とが離れて形成される。そのため、貫通型積層コンデンサＣ３の第２の電極群Ａ２によって形成される複数の静電容量が好適に分離して形成される。
【０１１１】
特に、貫通型積層コンデンサＣ３の第２の電極群Ａ２では、接地用連結電極部６５、８５が第２の側面Ｌ３ｆ側に配置され、信号用連結電極部７５、９５が第１の側面Ｌ３ｅ側に配置されている。このように、各連結電極部がコンデンサ素体Ｌ３の側面寄りであって、且つ互いに反対側に配置されているため、接地用連結電極部６５、８５と信号用連結電極部７５、９５との間に物理的に十分大きな距離をとることができる。そのため、貫通型積層コンデンサＣ３の第２の電極群Ａ２では、複数の静電容量をより一層好適に分離することができる。
【０１１２】
以上、本発明の好適な実施形態について詳細に説明したが、本発明は上記実施形態に限定されるものではない。例えば、接地用内部電極２０、４０、６０、８０に含まれる接地用主電極部及び接地用連結電極部の数は、上述した実施形態及び変形例に記載された数に限られない。信号用内部電極３０、５０、７０、９０に含まれる信号用主電極部及び信号用連結電極部の数は、上述した実施形態及び変形例に記載された数に限られない。
【０１１３】
接地用内部電極２０、４０、６０、８０、及び信号用内部電極３０、５０、７０、９０にの形状は、上述した実施形態及び変形例に記載された形状に限られない。したがって、例えば第２及び第３実施形態に係る貫通型積層コンデンサＣ２、Ｃ３の各内部電極においても、含まれる第１及び第２の主電極部同士で面積が異なっていてもよい。また、連結電極部は、各主電極部の端部を連結していなくてもよく、例えば中央部を連結してもよい。あるいは、連結電極部は、実施形態及び変形例で示した側面側とは反対側の側面側に位置していてもよい。
【０１１４】
また、コンデンサ素体に含まれる誘電体層の積層数及び内部電極の積層数は、上述した実施形態及び変形例に記載された数に限られない。コンデンサ素体に含まれる電極群の数は、第３実施形態に記載された数に限られない。
【図面の簡単な説明】
【０１１５】
【図１】第１実施形態に係る貫通型積層コンデンサの斜視図である。
【図２】第１実施形態に係る貫通型積層コンデンサに含まれるコンデンサ素体の分解斜視図である。
【図３】第１実施形態に係る貫通型積層コンデンサの等価回路図である。
【図４】第１実施形態に係る貫通型積層コンデンサの変形例に含まれるコンデンサ素体の分解斜視図である。
【図５】第１実施形態に係る貫通型積層コンデンサの変形例のインピーダンスの周波数特性を示すグラフである。
【図６】第２実施形態に係る貫通型積層コンデンサの斜視図である。
【図７】第２実施形態に係る貫通型積層コンデンサに含まれるコンデンサ素体の分解斜視図である。
【図８】第３実施形態に係る貫通型積層コンデンサの斜視図である。
【図９】第３実施形態に係る貫通型積層コンデンサに含まれるコンデンサ素体の分解斜視図である。
【図１０】第２実施形態に係る貫通型積層コンデンサの等価回路図である。
【符号の説明】
【０１１６】
Ｃ１、Ｃ２、Ｃ３…貫通型積層コンデンサ、Ｌ１、Ｌ２、Ｌ３…コンデンサ素体、２、６…第１の接地用端子電極、４、８…第２の接地用端子電極、３、７…第１の信号用端子電極、５、９…第２の信号用端子電極、１０〜１４…誘電体層、２０、４０、６０、８０…接地用内部電極、２１、４１、６１、８１…第１の接地用主電極部、２２、４２、６２、８２…第１の接地用引き出し電極部、２３、４３、６３、８３…第２の接地用主電極部、２４、４４、６４、８４…第２の接地用引き出し電極部、２５、２６、４５、４６、６５、８５…接地用連結電極部、３０、５０、７０、９０…信号用内部電極、３１、５１、７１、９１…第１の信号用主電極部、３２、５２、７２、９２…第１の信号用引き出し電極部、３３、５３、７３、９３…第２の信号用主電極部、３４、５４、７４、９４…第２の信号用引き出し電極部、３５、３６、５５、５６、７５、９５…信号用連結電極部。
【図１】
2008251628.tif 000003
【図２】
2008251628.tif 000004
【図３】
2008251628.tif 000005
【図４】
2008251628.tif 000006
【図５】
2008251628.tif 000007
【図６】
2008251628.tif 000008
【図７】
2008251628.tif 000009
【図８】
2008251628.tif 000010
【図９】
2008251628.tif 000011
【図１０】
2008251628.tif 000012